(57)【要約】【課題】汚物を処理する吸収材が大きく形成されて汚物処理能力がアップされ、処理シート全体の傾斜面部を効率よく製作できて洋式便器にフィットし、災害時や屋外レジャー等の臨時トイレとして快適かつ衛生的に使用できる便器用処理シート等を提供する。【解決手段】可燃性及び防水性の載置シートＡが、青色等で付色されていると共に、全体形状が上部開口１ａの袋状で且つ下部６の片側が切欠された傾斜面部５に形成され、その傾斜面部５を含む下部６の全体に亘る大きさ・形状でパルプ２４と吸水ポリマー２９の混合体で成る広域吸収材２が、載置シートＡ内の下部６に敷設され、広域吸収材２と載置シートＡの内側面１９上に不織布３が被覆され、載置シートＡの外周に結束紐１４が取り付けられており、便器８や代用便器９の開口８０、９０の内部に敷設可能な大きさ・形状で、黒く付色された防水性のベースシートＢの上面７に載置シートＡが設置して成る。【選択図】    図８
2008125575.tif 000002
【特許請求の範囲】
【請求項１】
可燃性及び防水性の載置シートが、青色等で付色されていると共に、その全体形状が上部開口の袋状で且つ下部の片側が切欠された傾斜面部に形成されており、当該載置シートの傾斜面部を含む下部の全体に亘る大きさ・形状の広域吸収材が、載置シート内の下部に敷設され、前記広域吸収材と載置シートの内側面上に不織布が被覆されて成ることを特徴とする便器用処理シート。
【請求項２】
可燃性及び防水性の載置シートが、青色等で付色されていると共に、その全体形状が上部開口の袋状で且つ下部の片側が切欠された傾斜面部に形成され、その傾斜面部を含む下部の全体に亘る大きさ・形状でパルプと吸水ポリマーの混合体で成る広域吸収材が、載置シート内の下部に敷設され、前記広域吸収材と載置シートの内側面上に不織布が被覆され、当該載置シートの外周に結束紐が取り付けられており、便器又は代用便器の開口内部に敷設可能な大きさ・形状で、黒色等で付色された防水性のベースシートの上面に、前記載置シートが設置されて成ることを特徴とする便器用処理シート。
【請求項３】
載置シートの傾斜面部の傾斜角度が、洋式便器の内部手前の傾斜角度に略等しく形成されていることを特徴とする、請求項１又は２に記載した便器用処理シート。
【請求項４】
載置シートの広域吸収材の内部に、消臭剤が含有されていることを特徴とする、請求項１〜３のいずれか１項に記載した便器用処理シート。
【請求項５】
ベースシートの外周裏面に、便器又は代用便器に固定可能な両面テープが取り付けられていることを特徴とする、請求項２に記載した便器用処理シート。
【請求項６】
ａ）便器又は代用便器の開口内部に敷設可能な大きさで、基本的形状が上辺、下辺、左辺、右辺を有する縦長の矩形に形成し、前記左辺の中央部を逆くの字状に切欠して上下の傾斜辺と切欠角部から成る切欠部を有する不織布を形成し、
ｂ）炭酸カルシウムが含有されたポリエチレン製で青色等に付着された可燃性及び防水性の載置シートを、前記不織布と同大・同形状に形成すると共に、左方が前記不織布の切欠部と同形状の切欠部を有し、右方が不織布の右辺に及ぶ所定高さの帯状の広域吸収材を形成し、
ｃ）前記不織布の表面に接着剤を噴霧した後、前記広域吸収材を切欠部同士を合致させながら前記不織布の上に載せて接合し、その上に更に前記載置シートを切欠部同士を合致させながら載せて接合し、
ｄ）重合された３つの切欠部の中央から水平方向に延びる水平線上で内側に折り曲げ、前記載置シートが内側で重合するように載置シートの上辺と下辺を合致させて上方は開口させる一方、重合された左辺同士及び傾斜辺同士並びに右辺同士の各縁部を溶着し、
ｅ）外部にむき出し状態の前記広域吸収材を内側下部に位置するように、広域吸収材と不織布を裏返して載置シートを表出させて、下部の広範囲に広域吸収材が敷設されると共に、当該下部の片側が前記切欠部の部位で切欠されて傾斜する傾斜面部に形成された載置シートを完成すること、
よりなることを特徴とする便器用処理シートの製造方法。
【請求項７】
ａ）可燃性及び防水性のシートが、青色等で付色されていると共に、その全体形状が上部開口の袋状で且つ下部の片側が切欠された傾斜面部に形成され、その傾斜面部を含む下部の全体に亘る大きさ・形状の広域吸収材が、載置シート内の下部に敷設され、前記広域吸収材と載置シートの内側面上に不織布が被覆されて成る載置シートを製作し、且つ便器又は代用便器の開口内部に敷設可能な大きさ・形状で、黒色等で付色された防水性のベースシートを製作する段階と、
ｂ）洋式便器のカバーと便座を開き、シート係止具を前記便器の外周に複数設置した後、前記ベースシートを便器の開口内部に敷設し、そのベースシートの縁部を前記シート係止具に係止させる段階と、
ｃ）載置シートの傾斜面部が便器の手前に位置するように、当該載置シートを前記ベースシートの上面に設置し、載置シートの縁部を前記ベースシートの縁部が係止されたシート係止具に更に係止させる段階と、
ｄ）用済み後は、ベースシートを便器側に残し、載置シートだけを便器から取り外して廃棄処分する段階と、
よりなることを特徴とする便器用処理シートの使用方法。
【請求項８】
洋式便器の便座は、ベースシートの縁部をシート係止具に係止させた後、又はベースシートの上面に設置した載置シートの縁部をシート係止具に係止させた後に閉じることを特徴とする、請求項７に記載した便器用処理シートの使用方法。
【請求項９】
シート係止具は、所定高さのケース体と同ケース体の開口上部にベースシートを挟み込みつつ着脱自在な蓋体で成り、前記蓋体には刻み目状に貫通され載置シートを係止自在な挟み口を形成すると共に、ケース体の底部の裏面に粘着面を形成し、便器の外周に着脱して使用することを特徴とする、請求項７又は８に記載した便器用処理シートの使用方法。
【請求項１０】
ａ）可燃性及び防水性のシートが、青色等で付色されていると共に、その全体形状が上部開口の袋状で且つ下部の片側が切欠された傾斜面部に形成され、その傾斜面部を含む下部の全体に亘る大きさ・形状の広域吸収材が、載置シート内の下部に敷設され、前記広域吸収材と載置シートの内側面上に不織布が被覆されて成る載置シートを製作し、且つ代用便器の開口内部に敷設可能な大きさ・形状で、黒色等で付色された防水性のベースシートを製作する段階と、
ｂ）便器に代わる上部開口の箱形代用便器を製作し、前記ベースシートを前記箱形代用便器の開口内部に敷設し、前記載置シートを前記ベースシートの上面に設置する段階と、
ｃ）用済み後は、ベースシートを箱形代用便器側に残し、載置シートだけを箱形代用便器から取り外して廃棄処分する段階と、
よりなることを特徴とする便器用処理シートの使用方法。
【請求項１１】
ａ）可燃性及び防水性のシートが、青色等で付色されていると共に、その全体形状が上部開口の袋状で且つ下部の片側が切欠された傾斜面部に形成され、その傾斜面部を含む下部の全体に亘る大きさ・形状の広域吸収材が、載置シート内の下部に敷設され、前記広域吸収材と載置シートの内側面上に不織布が被覆されて成る載置シートを製作し、且つ代用便器の開口内部に敷設可能な大きさ・形状で、黒色等で付色された防水性のベースシートを製作する段階と、
ｂ）便器に代わる上部開口の箱形代用便器を製作し、当該箱形代用便器の外周にシート係止具を設置しておく段階と、
ｃ）前記ベースシートを前記箱形代用便器の開口内部に敷設し、当該ベースシートの縁部を前記シート係止具に係止させる段階と、
ｄ）載置シートの傾斜面部が箱形代用便器の手前に位置するように、当該載置シートを前記ベースシートの上面に設置し、載置シートの縁部を前記ベースシートの縁部が係止されたシート係止具に更に係止させる段階と、
ｅ）用済み後は、ベースシートを箱形代用便器側に残し、載置シートだけを箱形代用便器から取り外して廃棄処分する段階と、
よりなることを特徴とする便器用処理シートの使用方法。
【請求項１２】
シート係止具は、刻み目状に貫通され載置シートを係止自在な挟み口を形成した蓋体で構成すると共に、箱形代用便器の上部外周に前記シート係止具が嵌合する嵌合孔を開け、その嵌合孔にベースシートを挟み込みつつ前記シート係止具を嵌合して使用することを特徴とする、請求項１１に記載した便器用処理シートの使用方法。
【発明の詳細な説明】
【技術分野】
【０００１】
本発明は、便器用処理シート及びその製造方法と使用方法に関し、さらに言えば、地震等の災害時に断水し、家庭や事業所、非難場所等のトイレが通常使用できない場合や、屋外キャンプ等のレジャーや介護において、汚物（以下、内容物ともいう）を十分かつ衛生的に処理する便器用処理シート等の技術分野に属する。
【背景技術】
【０００２】
地震災害時に、家庭・建物や非難場所等のトイレが使用できないケースがある。その緊急事態時に、便器（特に洋式便器）の内部に敷いて使用する汚物処理袋やその製造方法が開発され始めている。
【０００３】
例えば、特許第２９７９４７６号特許公報には、連続するポリエチレン製又はビニール製などの防水性シートを所望とする長さにカットし、該カットされたシート片ａ上に、少なくとも該シート片ａよりも小さなシート状の汚物処理材ｂを圧着又は接着により接合する第１の工程と、前記汚物処理材ｂが接合されてなるシート片ａを、前記汚物処理材ｂ同士が重なり合うよう折り畳み、汚物を受け入れるための開口部となる縁辺ｄを除き、重なり合う前記シート片ａの縁辺ｅ、ｅ同士を圧着又は接着により接合し、且つ、前記シート片ａを折り畳んだ際に生ずる折線ｃと汚物処理材ｂとの接点ｆ、ｆを起点として、前記シート片ａを折り畳んだ状態で、前記開口部寄りの斜め方向に圧着または接着により接合する第２の工程とからなる汚物処理袋の製造方法が開示されている。また、前記防水性シートの前記汚物処理材ｂが接合される側に連続する不織布が重ね合わされて、圧着又は接着される汚物処理袋の製造方法も公知に属する。
【特許文献１】特許第２９７９４７６号公報
【発明の開示】
【発明が解決しようとする課題】
【０００４】
前記特許公報に記載の汚物処理袋の製造方法によれば、下記のような更なる改善すべき点がある。
まず第１に、汚物処理材ｂがシート片ａよりも小さく形成されているので、汚物の処理量が少ない。そのため、小便の飛散防止が十分ではなく、特に男性が利用する際に大便と小便が同時使用できるに足る大きさでない。また、汚物処理材ｂが小さいため、音がして不快である。
第２に、シート片ａを折り畳んだ際の折線ｃと汚物処理材ｂとの接点ｆを起点とし、シート片ａを折り畳んだ状態で開口部寄りの斜め方向に接合するとしても、その斜め方向に接合した箇所からシート辺ａのコーナー部分に至る三角形状の残余部分ｋ、ｋが２つ相変わらず残っているので、そのコーナー部分のシート辺ａは製造コストの低減にならない。むしろ、便器にセッティングした際に、前記２つの残余部分ｋ、ｋがひらひらして邪魔である上、便器内部にしっかりとフィットせず使い勝手が悪い。
第３に、前記汚物処理袋は、シート片ａを液体が溜まった便器の内部に直接設置して使用するものであり、当該汚物処理袋の外周が濡れてしまい、廃棄処分する際に不快である。
第４に、前記シート片ａと汚物処理材ｂの隙間から液漏れする虞れがあり、利用価値が損なわれている等といった問題点が生じている。
【０００５】
また、図示を省略した受けネットを汚物処理袋の下に敷いて使用するタイプもある。しかし、そのような受けネットは小さく便器内で十分な深さが得られず、用便後の払拭時に手を汚すことが多い上、材質がナイロンやスチール等で高価であるといった問題があり、これらが解決すべき課題とされている。
【０００６】
したがって、本発明の目的は、上記問題点等を解決すべく案出されたもので、汚物を処理する広域吸収材が大きく形成されて汚物処理能力がアップされ、処理シート全体の傾斜面部を効率よく製作できて洋式便器にフィットし使用勝手にも優れ、災害時やレジャー、介護等の臨時トイレとして、快適かつ衛生的に使用でき、コスト低減の図られた便器用処理シート及びその製造方法と使用方法を提供することにある。
【課題を解決するための手段】
【０００７】
上記課題を解決する手段として、請求項１記載の発明の便器用処理シートは、可燃性及び防水性の載置シートＡが、青色等で付色されていると共に、その全体形状が上部開口１ａの袋状で且つ下部６の片側が切欠された傾斜面部５に形成されており、当該載置シートＡの傾斜面部５を含む下部６の全体に亘る大きさ・形状の広域吸収材２が、載置シートＡ内の下部６に敷設され、前記広域吸収材２と載置シートＡの内側面１９上に不織布３が被覆されて成ることを特徴とする。
【０００８】
請求項２記載の発明の便器用処理シートは、可燃性及び防水性の載置シートＡが、青色等で付色されていると共に、その全体形状が上部開口１ａの袋状で且つ下部６の片側が切欠された傾斜面部５に形成され、その傾斜面部５を含む下部６の全体に亘る大きさ・形状でパルプ２４と吸水ポリマー２９の混合体で成る広域吸収材２が、載置シートＡ内の下部６に敷設され、前記広域吸収材２と載置シートＡの内側面１９上に不織布３が被覆され、当該載置シートＡの外周に結束紐１４が取り付けられており、便器８又は代用便器９の開口８０、９０の内部に敷設可能な大きさ・形状で、黒色等で付色された防水性のベースシートＢの上面７に、前記載置シートＡが設置して成ることを特徴とする。
【０００９】
請求項３記載の発明の便器用処理シートは、前記載置シートＡの傾斜面部５の傾斜角度ｔが、洋式便器８の内部手前８４の傾斜角度ｐに略等しく形成されていることを特徴とする。
【００１０】
請求項４記載の発明の便器用処理シートは、前記載置シートＡの広域吸収材２の内部に、消臭剤ｍが含有されていることを特徴とする。
【００１１】
請求項５記載の発明の便器用処理シートは、前記ベースシートＢの外周裏面７０に、便器８又は代用便器９に固定可能な両面テープが取り付けられていることを特徴とする。
【００１２】
請求項６記載の発明の便器用処理シートの製造方法は、
ａ）便器８又は代用便器９の開口８０、９０の内部に敷設可能な大きさで、基本的形状が上辺３５、下辺３６、左辺３７、右辺３８を有する矩形に形成し、前記左辺３７の中央部を逆くの字状に切欠して上下の傾斜辺３１、３２と切欠角部３３から成る切欠部３０を有する不織布３を形成し、
ｂ）炭酸カルシウムが含有されたポリエチレン製で青色等に付着された可燃性及び防水性の載置シートＡを、前記不織布３と同大・同形状に形成すると共に、左方が前記不織布３の切欠部３０と同形状の切欠部２０を有し、右方が不織布３の右辺３８に及ぶ所定高さｈの帯状の広域吸収材２を形成し、
ｃ）前記不織布３の表面３４に接着剤を噴霧した後、前記広域吸収材２を切欠部２０、３０同士を合致させながら前記不織布３の上に載せて接合し、その上に更に前記載置シートＡを切欠部２０、１０同士を合致させながら載せて接合し、
ｄ）重合された３つの切欠部１０、２０、３０の中央から水平方向に延びる水平線６０上で内側に折り曲げ、前記載置シートＡが内側で重合するように載置シートＡの上辺１５と下辺１６を合致させて上方は開口１ａにする一方、重合された左辺１７、２７、３７同士及び傾斜辺１１、１２、２１、２２、３１、３２同士並びに右辺１８、２８、３８同士の各縁部を溶着し、
ｅ）外部にむき出し状態の前記広域吸収材２を内側下部に位置するように、広域吸収材２と不織布３を裏返して載置シートＡを表出させて、下部６の広範囲に広域吸収材２が敷設されると共に、当該下部６の片側が前記切欠部１０、２０、３０の部位で切欠されて傾斜する傾斜面部５に形成された載置シートＡを完成すること、よりなることを特徴とする。
【００１３】
請求項７記載の発明の便器用処理シートの使用方法は、
ａ）可燃性及び防水性のシートが、青色等で付色されていると共に、その全体形状が上部開口１ａの袋状で且つ下部６の片側が切欠された傾斜面部５に形成され、その傾斜面部５を含む下部６の全体に亘る大きさ・形状の広域吸収材２が、載置シートＡ内の下部６に敷設され、前記広域吸収材２と載置シートＡの内側面１９上に不織布３が被覆されて成る載置シートＡを製作し、且つ便器８又は代用便器９の開口８０、９０の内部に敷設可能な大きさ・形状で、黒色等で付色された防水性のベースシートＢを製作する段階と、
ｂ）洋式便器８のカバー８１と便座８２を開き、シート係止具４を前記便器８の外周８３に複数設置した後、前記ベースシートＢを便器８の開口８０の内部に敷設し、そのベースシートＢの縁部７１を前記シート係止具４に係止させる段階と、
ｃ）載置シートＡの傾斜面部５が便器８の手前８４に位置するように、当該載置シートＡを前記ベースシートＢの上面７に設置し、載置シートＡの縁部１ｂを前記ベースシートＢの縁部７１が係止されたシート係止具４に更に係止させる段階と、
ｄ）用済み後は、ベースシートＢを便器８側に残し、載置シートＡだけを便器８から取り外して廃棄処分する段階と、よりなることを特徴とする。
【００１４】
請求項８記載の発明の便器用処理シートの使用方法は、前記洋式便器８の便座８２を、ベースシートＢの縁部７１をシート係止具４に係止させた後、又はベースシートＢの上面７に設置した載置シートＡの縁部１ｂをシート係止具４に係止させた後に閉じることを特徴とする。
【００１５】
請求項９記載の発明の便器用処理シートの使用方法は、前記シート係止具４が、所定高さのケース体４０と同ケース体４０の開口４１の上部にベースシートＢを挟み込みつつ着脱自在な蓋体４４で成り、前記蓋体４４には刻み目状に貫通され載置シートＡを係止自在な挟み口４５を形成すると共に、ケース体４０の底部の裏面４２に粘着面４３を形成し、便器８の外周８３に着脱して使用することを特徴とする。
【００１６】
請求項１０記載の発明の便器用処理シートの使用方法は、
ａ）可燃性及び防水性のシートが、青色等で付色されていると共に、その全体形状が上部開口１ａの袋状で且つ下部６の片側が切欠された傾斜面部５に形成され、その傾斜面部５を含む下部６の全体に亘る大きさ・形状の広域吸収材２が、載置シートＡ内の下部６に敷設され、前記広域吸収材２と載置シートＡの内側面１９上に不織布３が被覆されて成る載置シートＡを製作し、且つ代用便器９の開口９０の内部に敷設可能な大きさ・形状で、黒色等で付色された防水性のベースシートＢを製作する段階と、
ｂ）便器８に代わる上部開口９０の箱形代用便器９を製作し、前記ベースシートＢを前記箱形代用便器９の開口９０の内部に敷設し、前記載置シートＡを前記ベースシートＢの上面７に設置する段階と、
ｃ）用済み後は、ベースシートＢを箱形代用便器９側に残し、載置シートＡだけを箱形代用便器９から取り外して廃棄処分する段階と、よりなることを特徴とする。
【００１７】
請求項１１記載の発明の便器用処理シートの使用方法は、
ａ）可燃性及び防水性のシートが、青色等で付色されていると共に、その全体形状が上部開口１ａの袋状で且つ下部６の片側が切欠された傾斜面部５に形成され、その傾斜面部５を含む下部６の全体に亘る大きさ・形状の広域吸収材２が、載置シートＡ内の下部６に敷設され、前記広域吸収材２と載置シートＡの内側面１９上に不織布３が被覆されて成る載置シートＡを製作し、且つ代用便器９の開口９０の内部に敷設可能な大きさ・形状で、黒色等で付色された防水性のベースシートＢを製作する段階と、
ｂ）便器８に代わる上部開口９０の箱形代用便器９を製作し、当該箱形代用便器９の外周９２にシート係止具４を設置しておく段階と、
ｃ）前記ベースシートＢを前記箱形代用便器９の開口９０の内部に敷設し、当該ベースシートＢの縁部７１を前記シート係止具４に係止させる段階と、
ｄ）載置シートＡの傾斜面部５が箱形代用便器９の手前９３に位置するように、当該載置シートＡを前記ベースシートＢの上面７に設置し、載置シートＡの縁部１ｂを前記ベースシートＢの縁部７１が係止されたシート係止具４に更に係止させる段階と、
ｅ）用済み後は、ベースシートＢを箱形代用便器９側に残し、載置シートＡだけを箱形代用便器９から取り外して廃棄処分する段階と、よりなることを特徴とする。
【００１８】
請求項１２記載の発明の便器用処理シートの使用方法は、前記シート係止具４が、刻み目状に貫通されシートを係止自在な挟み口４５を形成した蓋体４４で構成すると共に、箱形代用便器９の上部外周９２に前記シート係止具４が嵌合する嵌合孔９１を開け、その嵌合孔９１に前記シート係止具４を嵌合して使用することを特徴とする。
【発明の効果】
【００１９】
請求項１記載の便器用処理シートは、可燃性及び防水性の載置シートが青色等で付色されていると共に、その全体形状が上部開口の袋状で且つ下部の片側が切欠された傾斜面部に形成されており、当該載置シートの傾斜面部を含む下部の全体に亘る大きさ・形状の広域吸収材が、載置シート内の下部に敷設され、広域吸収材と載置シートの内側面上に不織布が被覆されているので、汚物の処理能力の増大化が図られ、飛散防止や消音対策にも効果的で、災害（断水）時やアウトドア、介護等の各種場面で、快適かつ衛生的に使用できる優れた利点を有している。
【００２０】
しかも、この便器用処理シートを洋式便器内にセッティングした際に、当該洋式便器の手前傾斜面部に載置シートの傾斜面部がフィットし、その傾斜面部にも広域吸収材が配置され吸収材の面積が拡大される。そのため、男性の座りながらの小用を含む複数回の小用が可能で便利な上、小用の消音効果にも貢献する。
さらに、載置シートが青色等に付色されているので、使用後の内容物が外から見えにくく、使用者に安心感を与える配慮もなされている。
【００２１】
請求項２記載の便器用処理シートは、載置シートとベースシートの２種類のシート併用タイプであり、黒色等で付色された防水性のベースシートは、常時、便器又は代用便器の開口内に敷設されるため、災害時等に水が流れない洋式便器で使用する不快感を払拭する。すなわち、青い載置シートは、洋式便器等の水たまり底部に直接接触しないため、載置シートが濡れる虞れはなく、使用後には黒いベースシートを残し、青い載置シートだけを処分すればよく、便利で衛生上もよい。
【００２２】
請求項３記載の便器用処理シートは、載置シートの傾斜面部の傾斜角度が、洋式便器の内部手前の傾斜角度に略等しく形成されているので、載置シートを洋式便器にセッティングした際に、しっかりとフィットし、使い易い。
【００２３】
請求項４記載の便器用処理シートは、載置シートの広域吸収材の内部に予め消臭剤が含有されているので、消臭剤を別途用意する手間が省ける上、廃棄処分時や他者の利用時に不快とならず好ましい。
【００２４】
請求項５記載の便器用処理シートは、ベースシートの外周裏面に便器や代用便器に固定可能な両面テープが取り付けられているので、急いでいる場合や高齢者等が設置する場合に、簡単に便器に固定できて便利である。
【００２５】
請求項６記載の便器用処理シートの製造方法は、便器や代用便器の開口内部に敷設可能な大きさで、基本的形状が上辺、下辺、左辺、右辺を有する矩形に形成し、左辺の中央部を逆くの字状に切欠して上下の傾斜辺と切欠角部から成る切欠部を有する不織布を形成し、炭酸カルシウムが含有されたポリエチレン製で青色等に付着された可燃性及び防水性の載置シートを、不織布と同大・同形状に形成すると共に、左方が不織布の切欠部と同形状の切欠部を有し、右方が不織布の右辺に及ぶ所定高さの帯状の広域吸収材を形成し、不織布の表面に接着剤を噴霧した後、広域吸収材を切欠部同士を合致させながら不織布の上に載せて接合し、その上に更に載置シートを切欠部同士を合致させながら載せて接合し、重合された３つの切欠部の中央から水平方向に延びる水平線上で内側に折り曲げ、載置シートが内側で重合するように載置シートの上辺と下辺を合致させて上方は開口させる一方、重合された左辺同士及び傾斜辺同士並びに右辺同士の各縁部を溶着し、外部にむき出し状態の広域吸収材を内側下部に位置するように、広域吸収材と不織布を裏返して載置シートを表出させるだけで、下部の広範囲に広域吸収材が敷設されると共に、当該下部の片側が切欠部の部位で切欠されて傾斜する傾斜面部に形成された載置シートを効率よく製作でき、製造コストが低減された経済的で合理的な便器用処理シートの製造に貢献する。また、完成した当該シートの防水性は高く、液体が漏れる虞れのない高品質な処理シートの量産に寄与する。
【００２６】
請求項７記載の便器用処理シートの使用方法は、載置シートとベースシートを製作したら、洋式便器のカバーと便座を開き、シート係止具を便器の外周に複数設置した後、ベースシートを便器の開口内部に敷設し、そのベースシートの縁部をシート係止具に係止させる段階と、載置シートの傾斜面部が便器の手前に位置するように、載置シートをベースシートの上面に設置し、載置シートの縁部をベースシートの縁部が係止されたシート係止具に係止させる段階と、用済み後は、ベースシートを便器側に残し、載置シートだけを便器から取り外して廃棄処分する段階とよりなり、洋式便器が使用不可となっても当該洋式便器を利用でき至極便利である。
【００２７】
また、前記請求項２記載の発明と同様、黒いベースシートは、常時、便器の開口内に敷設されるため、災害時等に水が流れない洋式便器で使用する不快感を払拭すると共に、青い載置シートは、この洋式便器の水たまり底部に接触しないため、載置シートが濡れる虞れはなく、使用後には青い載置シートだけを処分すればよく便利で、衛生上にも優れるのである。
【００２８】
請求項８記載の便器用処理シートの使用方法は、開けておいた洋式便器の便座の閉じるタイミングを、ベースシートをシート係止具に係止させた後、又はベースシートの上面に設置した載置シートをシート係止具に係止させた後のいずれでもよく、既存の便座の使用方法に関し、利用者の嗜好に任せた自由度が与えられている。
【００２９】
請求項９記載の便器用処理シートの使用方法は、シート係止具がケース体と同ケース体の開口上部にベースシートを挟み込みつつ着脱自在な蓋体で成り、蓋体には刻み目状に貫通され載置シートを係止自在な挟み口を形成し、ケース体の底部の裏面に粘着面を形成し、便器の外周に着脱して使用するので、かかるシート係止具の洋式便器への固定を楽に行える上、当該シート係止具を用いてベースシート及び載置シートを洋式便器側に簡単かつ確実に固定できる利便性に優れている。
【００３０】
請求項１０記載の便器用処理シートの使用方法は、便器に代わる箱形代用便器を使用するもので、載置シートとベースシートを製作すると共に上部開口の箱形代用便器を製作し、ベースシートを箱形代用便器の開口内部に敷設し、載置シートをベースシートの上面に設置する段階と、用済み後はベースシートを箱形代用便器側に残し、載置シートだけを箱形代用便器から取り外して廃棄処分できるので、使用できる便器が一切ない場合でも、簡単な構造の当該箱形代用便器に対し載置シートとベースシートを使用でき便利である。
【００３１】
請求項１１記載の便器用処理シートの使用方法は、便器に代わる箱形代用便器と同箱形代用便器の外周にシート係止具を設置して使用するもので、便器が一切ない場合でも、簡単な構造の当該箱形代用便器とシート係止具を用いて、前記載置シートとベースシートをシート係止具に確実に係止させて安心して使用できる。
【００３２】
請求項１２記載の便器用処理シートの使用方法は、挟み口を形成した蓋体のみでシート係止具が構成され、箱形代用便器に開けた嵌合孔にベースシートを挟み込みつつ当該蓋体（シート係止具）を嵌合するだけでよく、更にその上から載置シートを係止でき、部品点数の減少化と代用便器の組み立て容易化が図られている。
【発明を実施するための最良の形態】
【００３３】
本実施形態の便器用処理シートに関する技術は、地震等の災害時に、家庭やビル等の建物や非難場所等に設置されたトイレ、とりわけ洋式便器が使用できない緊急事態が発生した際や、そのような緊急事態でなくとも屋外でキャンプや山登りをしている最中などに、十分かつ衛生的に大便や小便を処理する簡便なトイレとして利用される。以下、本発明の好適な実施形態を、図面に基づいて説明する。
【００３４】
図１と図２は当該便器用処理シートの製造方法を示しており、図３〜図１１は洋式便器における当該便器用処理シートの好適な使用方法、図１２〜図１７は代用便器における当該便器用処理シートの好適な使用方法をそれぞれ示している。当該便器用処理シートは、載置シートＡとベースシートＢの２枚をセットで使用するのが通例であり、基本的にそのような２枚１組タイプの処理シートについて説明する。しかし、載置シートＡだけで使用することも可能である。
【００３５】
図１と図２に示した載置シートＡの製造方法について説明する。
【００３６】
まず、載置シートＡの内側面１９上に被覆される不織布３を製作する。当該不織布３は、可燃性のポリプロピレン製で、次の大きさの基本的形状が矩形にて製作する。図１Ａに示したように、便器８の開口８０（又は代用便器９の開口９０）の内部に敷設可能な大きさとして、長さ約６８ｃｍの上辺３５、同じく長さ約６８ｃｍの下辺３６、合計約７４ｃｍの左辺３７、長さ約１１０ｃｍの右辺３８を有する矩形に形成する。
【００３７】
そして、前記左辺３７の中央部を、「く」の字を左右反転したような逆くの字状に切欠し上方の傾斜辺３１と下方の傾斜辺３２が各々約４０ｃｍで、その奥の切欠角部３３の位置が、図中符号６０で示した左辺３７と右辺３８の中央を結ぶ水平線６０上で同水平線６０の略中央となるような切欠部３０を形成する。その際、水平線６０と上方傾斜辺３１とでなす傾斜角度ｔは約２５度であり、同様に水平線６０と下方傾斜辺３２とでなす傾斜角度ｔも約２５度である。この傾斜角度ｔは、当該載置シートＡを洋式便器８の中に設置した際にフィットするように、洋式便器８の内部手前８４の傾斜角度ｐに略等しくなるように決定されている（図８参照）。かくして、当該不織布３の片側（左方）が切欠部３０の上方傾斜辺３１と下方傾斜辺３２と、両傾斜辺３１、３２の交点たる切欠角部３３が形成されている。
【００３８】
載置シートＡの材質は、可燃性の炭酸カルシウムが３０％含有されたポリエチレン製で「燃えるゴミ」として廃棄処分できるものを採用する。防水性があり、色は青色（又はそれに類似する色）が好ましい。そして、大きさ・形状は、前記不織布３と同じ大きさ・形状である。すなわち、図１Ｃに示したように、載置シートＡは、基本的形状が上辺１５、下辺１６、左辺１７、右辺１８を有する矩形に形成し、左辺１７の中央部を逆くの字状に切欠し、その奥に切欠角部１３が位置される。水平線６０と上方傾斜辺１１とでなす傾斜角度ｔ、及び水平線６０と下方傾斜辺３２とでなす傾斜角度ｔは、それぞれ約２５度である。
【００３９】
広域吸収材２は、パルプ２４と吸水ポリマー２９の混合体の吸収材で成り、内部に消臭剤ｍを含有させる。図１Ｂに示したように、その左辺２７は、前記不織布３の切欠部３０と同形状の切欠部２０（上方傾斜辺２１、下方傾斜辺２２７、切欠角部２３）を有し、その右方が不織布３の右辺３８に及ぶ。つまり、上辺２５と下辺２６は前記不織布３の上辺３５と下辺３６と略同じ長さ（約６８ｃｍ）である。右辺２８は約３６ｃｍ（高さＨ）で、前記水平線６０の箇所で折曲したときの高さｈが前記高さＨの半分の約１８ｃｍとなるような横長の帯状に形成する。
【００４０】
図１Ａに示した前記不織布３の表面３４の略全域に接着剤を噴霧する。しかる後、前記広域吸収材２の切欠部２０と不織布３の切欠部３０同士を合致させながら広域吸収材２を不織布３の上に載せて接合する（図１Ｂ）。
【００４１】
その不織布３及び広域吸収材２の上に、更に前記載置シートＡの切欠部１０と広域吸収材２の切欠部２０（不織布３の切欠部３０）同士を合致させながら、載置シートＡを広域吸収材２及び不織布３の上に載せて接合する（図１Ｃ）。
【００４２】
次に、図１Ｃに示したように重合された３つの切欠部１０、２０、３０の中央から水平方向に延びる水平線６０上で内側に折り曲げ、前記載置シートＡが内側で重合するようにする（図２Ａ）。
【００４３】
一方、重合された左辺１７、２７、３７同士の縁部を太い線で図示した溶接部分ｓ−１とし、また重合された傾斜辺１１、１２、２１、２２、３１、３２同士の縁部を溶接部分ｓ−２とし、同様に、重合された右辺１８、２８、３８同士の縁部を溶接部分ｓ−３としてそれぞれ超音波溶着により接合する。その際、内側の左辺１７（傾斜面部５の側）に対し、可燃性の炭酸カルシウムが３０％含有されたポリエチレン製の結束紐１４（２本）の基端部を同様に溶着接合する。その溶着は、最終工程で裏返されることを考慮して袋状載置シートＡの内側袋内で行う。この結束紐１４は、載置シートＡの製造過程で生じた切欠部１０（切欠部２０）の切れ端を利用することができる。載置シートＡと不織布３の上辺１５、３５と下辺１６、３６の部分は上部開口１ａとなる。
【００４４】
後は、外部にむき出し状態の前記広域吸収材２を内側下部に位置するように、広域吸収材２と不織布３を裏返して載置シートＡを表出させれば完成する（図２Ｃ）。
【００４５】
換言すれば、可燃性及び防水性の青い載置シートＡが、上部開口の袋状で且つ下部６の片側が切欠された傾斜面部５に形成されており、傾斜面部５を含む下部６の全体に亘る大きさ・形状の広域吸収材２が、載置シートＡ内の下部６に敷設され、更に内側面１９上に不織布３が被覆された載置シートＡが形成される。よって、載置シートＡの下部６の広範囲に広域吸収材２が敷設されていると共に、当該下部６の片側が切欠部１０、２０、３０の部位で切り欠かれて傾斜する傾斜面部５に形成された載置シートＡが簡単に出来上がる。
【００４６】
次に、ベースシートＢについて説明する。当該ベースシートＢは、便器８の開口８０（又は代用便器９の開口９０）の内部に敷設可能な大きさとして縦×横の長さが約１１０×６８ｃｍの矩形で、黒色（又は濃い色若しくは透過性がなければ淡い色でも可能）で付色され炭酸カルシウムが３０％含有されたポリエチレン製の防水性のものが好適に使用される。通常、上述した載置シートＡにおける傾斜面部５を形成しない態様で実施されるが、傾斜面部５を形成する形態で実施してもよい。このベースシートＢの外周裏面７０には、便器８（又は代用便器９）に固定可能な両面テープ（図示は省略）を取り付けて実施することも可能である。
【００４７】
シート係止具４について説明する。当該シート係止具４は通例、ケース体４０と蓋体４４の組合せで使用される（図６参照）。但し、後述するように当該蓋体４４単体で使用することも行われる（図１５参照）。
【００４８】
図１８〜図２０にシート係止具４をなすケース体４０と蓋体４４の具体的構成を示した。ケース体４０は高さが約３ｃｍの長円筒状で上部が開口され、その開口上部４１の内周面に突起４１ａが設けられている（図１９Ａ、Ｂ）。裏面４２には粘着面４３が施され、使用する際に剥される剥離紙４１ｂが付設されている（図２０）。当該ケース体４０の開口上部４１に被蓋される蓋体４４は、ケース体４０の開口上部４１と同形・同大の長円形状で若干の厚みを有している（図１８）。その厚み部分の外周に、前記ケース体４０の突起４１ａに係止自在な爪部４６が複数設けられている（図１８Ｂ）。そして、この蓋体４４には、上から見ると刻み目状で上下に貫通された挟み口４５が形成されている（図１８Ａ）。この挟み口４５は、上から押し込まれた載置シートＡを挟んで係止する機能を有する。
【００４９】
以下に、上述した構成の便器用処理シートの使用方法について、図３〜図１１を参照しつつ説明する。
【００５０】
まず図３のように、使用不能となった洋式便器８のカバー８１と便座８２を上方に開いく。そして、図４に符号ｇで示した便器８の上端から約５〜１０ｃｍほど下端の位置における便器８の外周８３に、シート係止具４のケース体４０を、裏面の剥離紙４１ｂを剥して設置する（図２０参照）。シート係止具４は便器８の外周８３に４箇所（図４中の白い矢印で示した箇所を参照）設置するのが好ましい。
【００５１】
そうしたら、ベースシートＢを便器８の開口８０の内部に敷設し（図５）、そのベースシートＢの縁部７１を前記シート係止具４に係止させる。その係止方法は、図６に拡大して示したように、ケース体４０の上部開口４１にベースシートＢの縁部７１を押し込んだ後、蓋体４４を上から被せる。すると、蓋体４の爪部４６がケース体４０の突起４１ａに係止され、ベースシートＢの縁部７１が便器８の外周８３にしっかりと固定される。
【００５２】
しかる後、開いておいた便器８の便座８２を、ベースシートＢの上に下して閉じる（図７）。しかし便座８２を閉じるタイミングは、後述するように、ベースシートＢの上に設置した載置シートＡの縁部１ｂをシート係止具４に係止させた後であってもよい。
【００５３】
次に、載置シートＡを前記ベースシートＢ及び便器８の便座８２の上面７に設置する（図８）。その際、図９に示したように、載置シートＡの傾斜面部５が便器８の手前８４に位置するように設置する。そうすることにより、載置シートＡの傾斜面部５が便器８の手前傾斜面部８５にフィットすると共に、同載置シートＡの他の平らな下部６は、便器８の深い水たまり面８６に落し込まれる形で納まりよくセットさせることができる。
【００５４】
つづいて図１０に示したように、前記載置シートＡの縁部１ｂを、前記ベースシートＢ（縁部７１）が係止されたシート係止具４に更に係止させる。すなわち、載置シートＡの縁部１ｂの表面を、シート係止具４の蓋体４４の挟み口４５の中に手で押し込んでやれば、簡単に載置シートＡの縁部１ｂが挟み口４５の中に挟まれて止まり、ズレ落ちる虞れがない。
【００５５】
このようにセッティングされた便器用処理シートを利用する者は、載置シートＡの下部において広域吸収材２が広範囲に存するので、安心して用を済ますことができる。広域吸収材２が広い分、飛散防止や消音も図られ、快適かつ衛生的に使用できる。また、載置シートＡが青色に付色されているので、使用後の内容物が外から見えにくくて助かる。
【００５６】
そして、用済み後は、ベースシートＢを便器８側に残し、載置シートＡの上部開口１ａを結束紐１４で結んで締め（図１１）、当該載置シートＡだけを便器８から取り外し、そのまま「燃えるゴミ」として廃棄処分する。ベースシートＢが便器８に溜まった水分を遮断しているので、載置シートＡの外周は濡れることなく楽に処分することができる。
【００５７】
次に、代用便器を利用した便器用処理シートの使用方法について、図１２〜図１７を参照しつつ説明する。
【００５８】
本実施形態は、洋式便器８（又は和式便器）を利用することができない場合に、簡単な構造の代用の便器を利用するものである。まず図１２に示したような代用便器９を製作する。この代用便器９は紙製で、便器８の開口８０の大きさと同じぐらいの開口９０を有する段ボール箱形状に形成して製作し、上部の開口上部片９４・・・は使用時には内側に折曲させる（図１３）。
【００５９】
この段ボール箱状の代用便器９の上部外周９２に、前記シート係止具４の蓋体４４が嵌合する嵌合孔９１を複数開ける（図１２）。当該嵌合孔９１は、代用便器９の上部外周９２に、蓋体４４と同形で蓋体４４よりは僅かに小さな長円形状の切り込みを入れ、図１２に一部拡大して示したように、その切り込み内を手指で押し込んでやれば、簡単に貫通した嵌合孔９１ができる。
【００６０】
ベースシートＢを代用便器９の開口９０の内部に敷設し（図１４）、そのベースシートＢの縁部７１を前記シート係止具４の蓋体４４に係止させる。その係止方法は、図１５に図示したように、前記嵌合孔９１にベースシートＢの縁部７１を少し押し込んだ後、蓋体４４を上から被せる（同図１５の矢印参照）。すると、蓋体４の爪部４６が嵌合孔９１の内側縁部に係止され、ベースシートＢが代用便器９内に固定される。
【００６１】
つづいて、載置シートＡを前記ベースシートＢの上面７に設置する（図１７）。その際、図１６に示したように、載置シートＡの傾斜面部５が代用便器９の手前９３に位置するよう設置するのが好ましい。載置シートＡの平坦で深い下部６に便を落し込むためである。
【００６２】
しかる後、前記図１０に示した要領で、載置シートＡの縁部１ｂの表面を、シート係止具４の蓋体４４の挟み口４５の中に手で押し込んでやれば、やはり簡単に載置シートＡの縁部１ｂが挟み口４５の中に挟まれてしっかりと止まりる。
【００６３】
よって、屋外又は屋内で、この代用便器９を利用して用を済ますことができる。用済み後は、前記洋式便器８の実施形態と同様、やはりベースシートＢを代用便器８側に残し、載置シートＡの上部開口１ａを結束紐１４で結んで締め、当該載置シートＡだけを代用便器８から取り外し、「燃えるゴミ」として廃棄処分することができる（図１１参照）。
【００６４】
なお、前記代用便器９の使用時に、シート係止具４（蓋体４４）を使用せずに実施したり、ベースシートＢを用いず載置シートＡだけで実施することも可能である（図示は省略）。
【図面の簡単な説明】
【００６５】
【図１】Ａ、Ｂ、Ｃは本発明の便器用処理シートの製造過程を示した説明図である。
【００６６】
【図２】Ａ、Ｂ、Ｃは本発明の便器用処理シートの製造過程を示した説明図である。
【００６７】
【図３】洋式便器の便座を開いた状態を示した斜視図である。
【００６８】
【図４】洋式便器へのシート係止の設置要領を示した斜視図である。
【００６９】
【図５】ベースシートの設置要領を示した斜視図である。
【００７０】
【図６】ベースシートのシート係止への係止要領を示した拡大図である。
【００７１】
【図７】洋式便器の便座を閉じた状態を示した斜視図である。
【００７２】
【図８】載置シートの設置状態を示した斜視図である。
【００７３】
【図９】載置シートの設置要領を示した説明図である。
【００７４】
【図１０】シート係止具への載置シートの係止要領を示した拡大図である。
【００７５】
【図１１】載置シートの廃棄処分要領を示した説明図である。
【００７６】
【図１２】代用便器を示した斜視図である。
【００７７】
【図１３】代用便器の使用前状態を示した斜視図である。
【００７８】
【図１４】代用便器へのベースシートの設置要領を示した斜視図である。
【００７９】
【図１５】ベースシートの係止要領を示した拡大図である。
【００８０】
【図１６】載置シートの代用便器への設置要領を示した説明図である。
【００８１】
【図１７】載置シートの代用便器への設置状態を示した斜視図である。
【００８２】
【図１８】Ａ、Ｂはケース係止具の蓋体を拡大して示した平面図と側面図である。
【００８３】
【図１９】Ａ、Ｂはケース係止具のケース体を拡大して示した平面図と断面図である。
【００８４】
【図２０】ケース係止具を拡大して示した裏面斜視図である。
【００８５】
【図２１】Ａ、Ｂは従来例の製造工程を示した概略斜視図である。
【００８６】
【図２２】従来例の製造工程を示した概略斜視図である。
【符号の説明】
【００８７】
Ａ        載置シート
Ｂ        ベースシート
ｍ        消臭剤
ｈ、Ｈ    高さ
ｔ        傾斜角度
５        傾斜面部
６        下部
７        上面
１ａ      開口
１４      結束紐
１０、２０、３０  切欠部
１１、２１、３１  上方傾斜部
１２、２２、３２  下方傾斜部
１３、２３、３３  切欠角部
１５、２５、３５  上辺
１６、２６、３６  下辺
１７、２７、３７  左辺
１８、２８、３８  右辺
２        広域吸収材
２０      切欠部
２４      パルプ
２９      防水ポリマー
３        不織布
４        シート係止具
４０      ケース体
４４      蓋体
４５      挟み口
８        便器
８２      便座
８３      外周
９        代用便器
９１      嵌合孔
【図１】
2008125575.tif 000003
【図２】
2008125575.tif 000004
【図３】
2008125575.tif 000005
【図４】
2008125575.tif 000006
【図５】
2008125575.tif 000007
【図６】
2008125575.tif 000008
【図７】
2008125575.tif 000009
【図８】
2008125575.tif 000010
【図９】
2008125575.tif 000011
【図１０】
2008125575.tif 000012
【図１１】
2008125575.tif 000013
【図１２】
2008125575.tif 000014
【図１３】
2008125575.tif 000015
【図１４】
2008125575.tif 000016
【図１５】
2008125575.tif 000017
【図１６】
2008125575.tif 000018
【図１７】
2008125575.tif 000019
【図１８】
2008125575.tif 000020
【図１９】
2008125575.tif 000021
【図２０】
2008125575.tif 000022
【図２１】
2008125575.tif 000023
【図２２】
2008125575.tif 000024